(57)【要約】      （修正有）【課題】パワーショベルのバケットが掘削と挟んで移動運搬する二つの作用を兼ね備えることでパワーショベルの作業効果を高めるパワーショベル用バケットを提供する。【解決手段】パワーショベル用バケットは、バケット１０の掘削つめ１０１の対応する側に挟み部分２０が設置される。前記挟み部分２０は、固定部及び前記固定部に対応する先端部２０２が設置される。前記挟み部分２０の固定部は、可動式にバケット１０に軸接続されて、先端部２０２はバケット１０の掘削つめ１０１に対応して開閉する。前記挟み部分２０はさらに動力体３０の駆動を受けて、挟み部分２０の先端部２０２は動力形態によってバケット１０の掘削つめ１０１と共に開閉する。これにより、前記挟み部分２０は可在動力体の制御の下、バケット１０の掘削つめ１０１と共に開閉動作を行なって、掘削及び挟んで移動運搬する二つの作用を兼ね備える。【選択図】図１
0003195368.tif 000002
【実用新案登録請求の範囲】
【請求項１】
パワーショベル用バケットであって、
前記バケットの掘削つめの対応する側に挟み部分が設置され、前記挟み部分は、固定部及び前記固定部に対応する先端部が設置され、前記挟み部分の固定部は、可動式にバケットに軸接続されて、先端部はバケットの掘削つめに対応して開閉し、前記挟み部分はさらに動力体の駆動を受けて、挟み部分の先端部は動力形態によってバケットの掘削つめと共に開閉することを特徴とするパワーショベル用バケット。
【請求項２】
前記挟み部分の先端部には、少なくとも一個以上のフォークが設置されて、前記各フォークには、突出した引っ掛けるための歯が設置されて、バケットの掘削つめに対応することを特徴とする請求項１に記載のパワーショベル用バケット。
【請求項３】
前記挟み部分の先端部の各フォークの間には、接続ステムが設置されることを特徴とする請求項１に記載のパワーショベル用バケット。
【請求項４】
前記挟み部分の固定部は、可動式にバケットに軸接続されることを特徴とする請求項１に記載のパワーショベル用バケット。
【請求項５】
前記動力体は、油圧シリンダまたは気圧シリンダまたは駆動モータであることを特徴とする請求項１に記載のパワーショベル用バケット。
【請求項６】
前記動力体の一端はバケットに、他端は挟み部分に設置されることを特徴とする請求項１に記載のパワーショベル用バケット。
【請求項７】
前記バケットには、支えアームが設置されて、動力体の一端が設置されるのに供されることを特徴とする請求項１に記載のパワーショベル用バケット。
【請求項８】
前記動力体の一端がバケットに、他端が挟み部分に可動的に軸接続されることを特徴とする請求項１に記載のパワーショベル用バケット。
【考案の詳細な説明】
【技術分野】
【０００１】
本考案は、パワーショベル用バケットに関し、特に、設置がしやすく、操作、使用が簡単且つ便利で、パワーショベルのバケットが掘削と挟んで移動運搬する二つの作用を兼ね備えることでパワーショベルの作業効果を高める、適用性に優れ、理想性及び進歩性を有するパワーショベル用バケットに関する。
【背景技術】
【０００２】
パワーショベルは、各種工事建設になくてはならない工作機械の一つである。例えば、道路建設、整地、埋め戻し、溝掘り等の際には、その力を借りて行なうことで、作業効率を高めることができる。
【０００３】
また、一般のパワーショベルは、いずれも作業アーム下端に掘削道具（例えばバケット）  が取り付けられて、土や砂利を掘り起こしたり、移動させたりする各種工事を行なう。しかしながら、工事の進行は、一部の場所が単一用途の掘削道具を使用する以外、多くの場所ではほとんどが、バケット、グラップル、ドリル等の、多種の機具を使用する。このうち、バケットやグラップルが同一場所に使用される状況も極めて多い。例えば、山林工事において、作業員は通常樹木の伐採、道路建設、整地といった基本工事を行なう。初期工事である前記伐採工事の後、横に置かれた各種太さ、大きさ、長さが異なる樹木を逐一移動運搬する必要があり、それを行なった後に初めて道路建設工事が行なえる。このような作業の繰り返しの後、ようやく全体の工事が完了する。このうち、前記地面に横に置かれた樹林の移動、運搬や道路の掘削工事では、その工程について言えば、二つの作業は繰り返し交互に行なわれる。要するに同時進行であるとも言える。したがって、同一のパワーショベルにおいて、作業員が現場で繰り返しバケットとグラップルを取り替えて作業を行なうことは不可能である。普通は、道路建設に使用するバケットを取り付けて、これを使用して樹木を移動したり運搬したりすることになる。しかしながら、横置きの樹木は、太さや長さが様々で、置かれた向きの一定ではないため、バケットによって逐一持ち上げて、トラック等に移動させるという実施方式は、効率が悪いだけでなく、作業の困難さも増す上、人の手を借りて作業の補助を行なう必要も生じる。明らかに、手間がかかり、時間的、労力的コスト、さらには危険性も増す。
【考案の概要】
【考案が解決しようとする課題】
【０００４】
したがって、本考案は、従来のバケットの使用上の欠点を改善するパワーショベル用バケットを提供することを課題とする。
【課題を解決するための手段】
【０００５】
上記課題を解決するために、本考案は、従来の欠点を改善して、パワーショベルのバケットが掘削と挟んで移動運搬する二つの作用を兼ね備えることでパワーショベルの作業効果を高めるパワーショベルようバケットを提供することを目的とする。
【０００６】
上記目的を達成するために、本考案のパワーショベル用バケットは、バケットの掘削つめの対応する側に挟み部分が設置される。前記挟み部分は、固定部及び前記固定部に対応する先端部が設置される。前記挟み部分の固定部は、可動式にバケットに軸接続されて、先端部はバケットの掘削つめに対応して開閉する。前記挟み部分はさらに動力体の駆動を受けて、挟み部分の先端部は動力形態によってバケットの掘削つめと共に開閉する。これにより、前記挟み部分は可在動力体の制御の下、バケットの掘削つめと共に開閉動作を行なって、掘削及び挟んで移動運搬する二つの作用を兼ね備える。
【考案の効果】
【０００７】
本考案のパワーショベル用バケットは、従来の欠点を改善して、設置がしやすく、操作、使用が簡単且つ便利で、パワーショベルのバケットが掘削と挟んで移動運搬する二つの作用を兼ね備えることでパワーショベルの作業効果を高め、適用性に優れ、理想性及び進歩性を有する。
【図面の簡単な説明】
【０００８】
【図１】本考案の実施例における立体図である。
【図２】本考案のバケットをパワーショベルの作業アームに設置した場合の実施例を示した側面図である。
【図３】図１を上から見た平面図である。
【図４】本考案のバケットがパワーショベルの作業アームに設置されて開閉動作を行なう場合の実施例を示した側面図である。
【考案を実施するための形態】
【０００９】
以下に、図を参照しながら、本考案のパワーショベル用バケットについて詳しく説明する。
【実施例】
【００１０】
図１、図２、図３を参照しながら説明する。本考案のパワーショベル用バケットは、パワーショベル用のバケット１０の掘削つめ１０１が挟み部分２０に対応して設置され、前記挟み部分２０は固定部２０１及び前記固定部２０１に対応する挟んで引っ掛ける先端部２０２を有する。前記挟み部分２０の固定部２０１は、回転軸２０１１によってバケット１０に可動式に軸接続されて、挟んで引っ掛ける先端部２０２がバケット１０の掘削つめ１０１に対応して開閉する。前記挟み部分２０はさらに動力体３０の駆動を受けて、挟み部分２０の先端部２０２を動力形態によってバケット１０の掘削つめ１０１と共に開閉する。
【００１１】
前記挟み部分２０の先端部２０２は、少なくとも１個の以上のフォークＡを有し、前記各フォークＡはさらに突出した引っ掛けるための歯２０２１を有してバケット１０の掘削つめ１０１に対応する。
【００１２】
前記挟み部分２０の先端部２０２の各フォークＡの間には接続ステム２１が設置されて接続を補強する。
【００１３】
前記動力体３０は、油圧シリンダまたは気圧シリンダまたは駆動モータで、一端が回転軸３０１によってバケット１０の支えアーム１０２に設置され、他端が回転軸３０２によって挟み部分２０の適当な位置に設置されて、透過液圧制御または気圧制御または電機制御によって挟み部分２０の駆動を制御する。さらに、挟み部分２０の先端部２０２は、回転軸２０１１によって軸回転して、対応するバケット１０の掘削つめ１０１に向かって開閉動作を行なう。
【００１４】
図４を参照しながら説明する。上述の構成により、本考案のパワーショベル用バケットは、バケット１０がパワーショベルのアーム１に設置された後、挟み部分２０が動力体３０を介して駆動されることで、先端部２０２がバケット１０において自動的に開閉する。したがって、実際の作業時には、作業員はただ動力体３０を制御するだけで、挟み部分２０の先端部２０２が開いてバケット１０の掘削つめ１０１から離れる。当然、前記バケット１０の掘削つめ１０１は、スムーズに何の障害もなく掘削、整地作業が行なえる。また、地面に横向きに置かれた樹木や工作物Ｂに対して移動作業を行なう際も、作業員はただ前述の相互に開く掘削つめ１０１と先端部２０２を移動させる樹木または工作物Ｂの位置を定めるだけでよく、続いて動力体３０を制御して先端部２０２と掘削つめ１０１をその都度開閉させるだけで、スムーズに前記移動したい樹木または工作物Ｂを確実且つしっかりと挟む。さらに、パワーショベルのアームを介して持ち上げて、回転させ下降させる等の動作を行なう。再度、動力体３０を制御して先端部２０２をその都度開いて、前記樹木または工作物Ｂを挟んで、スムーズに移動させて所定の位置または車両上に置くことができるため、簡単で便利且つスムーズで速やかに移動させるという目的及び効果を達成する。
【００１５】
つまり、本考案のパワーショベル用バケットは、少なくとも以下の長所を有する。
【００１６】
１、設置が簡単で、経済性に優れる。
【００１７】
２、操作、使用が簡単且つ便利で、実施の際の敏捷性を有する。
【００１８】
３、パワーショベルのバケットが、掘削と挟んで移動運搬する二つの作用を兼ね備えるため、パワーショベルの作業効果を高める。
【符号の説明】
【００１９】
Ａ  フォーク
Ｂ  樹木または工作物
１  パワーショベルのアーム
１０  バケット
１０１  掘削つめ
１０２  支えアーム
２０  挟み部分
２０１  固定部
２０１１  回転軸
２０２  先端部
２０２１  引っ掛けるための歯
２１  接続ステム
３０  動力体
３０１  回転軸
３０２  回転軸
【図１】
0003195368.tif 000003
【図２】
0003195368.tif 000004
【図３】
0003195368.tif 000005
【図４】
0003195368.tif 000006